(57)【特許請求の範囲】
【請求項１】
内容物を収容したトレイ状ケースを、短辺方向に延伸されたフィルム状シートでピロータイプ包装してなる包装体の天面部分が、カートンに収容された状態で開封する包装体において、
長辺方向の合わせ部を、天面の平面視で一方の端部側に設けるとともに、前記合わせ部の縁部に易開封手段を設け、さらに
前記合わせ部に沿って、所定幅を有し長辺方向に切り裂かれる帯状の弱部を設けるとともに、他方の端部側にも、所定幅を有し長辺方向に切り裂かれる帯状の弱部を設けたことを特徴とする、カートンに収容される包装体。
【請求項２】
前記他方の端部側に設けられる帯状の弱部が、複数であることを特徴とする、請求項１に記載のカートンに収容される包装体。
【請求項３】
前記他方の端部側に設けられる帯状の弱部が、前記合わせ部の近傍に設けられる帯状の弱部より幅広であることを特徴とする、請求項１に記載のカートンに収容される包装体。
【発明の詳細な説明】
【０００１】
【発明の属する技術分野】
本発明は、内容物を収容したトレイ状ケースをピロータイプ包装して、カートン内に収容される包装体に関するものであり、更に詳しくは、その包装体の開封手段に関するものである。
【０００２】
【従来の技術】
従来、例えば菓子類などの内容物を包装する包装形態の１つとして、その内容物を収容したトレイ状のケースを透明なフィルム状シートで密封包装し、更にその密封包装した包装体をカートン内に収容して包装するものがある。
そして、このようなタイプのカートンとしては、図４で示すようなカートン  （３）が挙げられるが、中の内容物を取り出すには、まず、外箱であるカートン（３）の天面板（４）を図示のように開封し、次いで、中の包装体の天面を開封して取り出すようになっている。
【０００３】
【発明が解決しようとする課題】
しかしながら、このようなカートン（３）内に収容されている包装体を開封するにあたり、特に内容物がトレイ状ケースに個別に仕切られて収容されているものの場合には、よほどうまく包装体の天面を開封するようにしないと、トレイ状ケースの隅の方に収容されている内容物が取り出し難いなどの不具合が生じる。そこで、本発明は、トレイ状ケースの隅の方に収容されている内容物でも容易に取り出せるように開封ができる、カートンに収容される包装体を得ることを目的とするものである。
【０００４】
【課題を解決するための手段】
本発明は、以上のような目的を達成するために、次のような包装体を提供するものである。すなわち、内容物を収容したトレイ状ケースを、短辺方向に延伸されたフィルム状シートでピロータイプ包装してなる包装体の天面部分が、カートンに収容された状態で開封する包装体において、長辺方向の合わせ部を、天面の平面視で一方の端部側に設けるとともに、前記合わせ部の縁部に易開封手段を設け、さらに前記合わせ部に沿って、所定幅を有し長辺方向に切り裂かれる帯状の弱部を設けるとともに、他方の端部側にも、所定幅を有し長辺方向に切り裂かれる帯状の弱部を設けたことを特徴とするカートンに収容される包装体である。
そして、前記他方の端部側に設けられる帯状の弱部が複数であるか、又は前記他方の端部側に設けられる帯状の弱部が前記合わせ部の近傍に設けられる帯状の弱部より幅広であることを特徴とするものである。
【０００５】
【発明の実施の形態】
以下、本発明の実施の形態について、図面に示す実施例を基に説明する。
図１は本発明にかかる包装体の斜視図、図２は同じく平面図であり、図３は別実施例の包装体の平面図である。また、図４はカートンを開封した様子を示す斜視図であり、図５乃至図８はカートンに収容された包装体を開封する工程を示す説明図、図９はカートンに収容された包装体を開封した様子を示す斜視図である。
本発明にかかる包装体（１０）は、内容物を収容したトレイ状ケース（１）をフィルム状シートで密封包装した後、カートン（３）内に収容されるものであり、このトレイ状ケース（１）は、図９で示すように、固形状の菓子類などの内容物を複数個（図示のものは６個）、個別に収容できるように仕切部（２）が設けられて成形されている。
【０００６】
カートン（３）は、包装体（１０）、即ちフィルム状シートで包装されたトレイ状ケース（１）を収容できるような大きさの直方体形状に成形され、図４、図９で示すように、上重ね前面板（５）の中央に形成された開封片（７）の両側の切り込みから左右対称に連続する切取部（９）（９）によって、天面板（４）が大きく開放されて開封するようになっている。
なお、開封された天面板（４）はヒンジ部によって開閉自在になっており、下重ね前面板（６）の中央には、開封片（７）が嵌入する円弧状の切込部（８）が穿設されて、一旦開封したカートンを再度封止することができるようになっている。また、カートン（３）に使用する紙の材質としては、ボール紙などの厚紙類が好ましい。
【０００７】
包装体（１０）は、図１で示すように、内容物を収容したトレイ状ケース（１）をフィルム状シートでピロータイプ包装して成形されるものであって、長辺方向の合わせ部（１１）を図２で示すように平面視で一方の端部側寄りに設けるとともに、その合わせ部（１１）の縁部にマジックカットのような任意の部位から破り始めることができる易開封手段（１２）を設けている。そして更に、その合わせ部（１１）の直近傍、即ち合わせ部（１１）の中途部から天面（１４）にかけて、所定幅を有する帯状の弱部（１５）を合わせ部（１１）と平行になるように長辺方向に設けるとともに、他方の端部側寄りの天面（１４）にも所定幅を有する帯状の弱部（１６）（１７）を合わせ部（１１）側の弱部（１５）と平行になるように長辺方向に設けている。なお、他方の端部側弱部（１６）（１７）は、図１、図２で示すように、複数本（図示のものは２本）隣接させて設けるのが望ましいが、図３で示すように、幅広に構成した弱部（１８）であれば１本でも構わない。
【０００８】
トレイ状ケース（１）を包装するフィルム状シートは、少なくとも２層構造になっている透明又は不透明な積層フィルムで構成され、一方のフィルムは包装体（１０）の短辺方向に延伸された延伸フィルムであって、その短辺方向に切り裂かれ易いように構成されている。また、弱部（１５）（１６）（１７）（１８）は、延伸フィルムに多数の孔を穿設したり、多数の傷跡などをつけたりして形成されるようになっており、フィルム状シートがその弱部（１５）（１６）（１７）（１８）によって包装体（１０）の長辺方向にも切り裂かれ易いように構成されている。なお、弱部（１５）（１６）（１７）の幅（Ｗ）は、３ｍｍ〜１０ｍｍ位が好ましく、幅広の弱部（１８）の場合はそれの約２倍位が好ましい。また、弱部（１５）（１６）（１７）の幅は全て同じでもよい。
その他、合わせ部（１１）は、包装体（１０）を開封するときの摘み片となるものであるため、カートン（３）内に包装体（１０）を収容するときには、合わせ部（１１）が上側で、かつ開封片（７）側にくるように収容する。
【０００９】
次に、以上のような包装体（１０）を開封する工程を図５乃至図８を基に説明する。
まず、図５で示すように、合わせ部（１１）の易開封手段（１２）によって包装体（１０）を開封し始めるが、このとき、カートン（３）の開口している天面板（４）部分とほぼ同じ大きさに開封できるように、切り口（１３）をなるべく端の方に設ける。
次いで、図６で示すように、包装体（１０）の短辺方向に向かって切り裂くが、このとき、包装体（１０）を構成する積層フィルムは短辺方向に延伸しているので、スムーズに切り裂かれ、かつ、それと同時に、合わせ部（１１）付近に設けられている弱部（１５）によって長辺方向にもスムーズに切り裂かれる。この場合、弱部（１５）は、合わせ部（１１）の折罫（１１ａ）をその中に含むように、言い換えれば折罫（１１ａ）を中心として合わせ部（１１）側及び天面（１４）側の両方に連続して弱部（１５）が存在するように設けられていることが好ましい。そうすることにより、長辺方向に向かって切り裂くときには、その折罫（１１ａ）がきっかけになるとともに、ほぼその折罫（１１ａ）に沿わせて切り裂くことができるようになり、容易に切り裂かれるようになる。
【００１０】
短辺方向に切り裂かれて行く部分が他方の端部側弱部（１６）に達したら、引き裂く力の方向を約９０度変える。すると、その弱部（１６）によって徐々に長辺方向に切り裂かれて行くように最初は斜めに切り裂かれ、更に次の端部側弱部（１７）によって完全に長辺方向に切り裂かれるようになる。この状態を図７で示す。
こうして、合わせ部（１１）側の弱部（１５）と他方の端部側弱部（１７）とで、長辺方向の切り裂き工程が終了したら、前述と同様に弱部（１７）と弱部  （１６）によって切り裂く力の方向を約９０度変え、図８で示すように、短辺方向に向かって切り裂いて、包装体（１０）の天面（１４）の大部分を除去する。
【００１１】
このようにして、カートン（３）内に収容された包装体（１０）の天面（１４）が、開封された天面板（４）とほぼ同じ大きさに開封除去されるので、図９で示すように、トレイ状ケース（１）のほぼ全面が、包装体（１０）内から露出することになり、隅の方に収容されている内容物でも容易に取り出すことができるようになる。
なお、上記したように、他方の端部側弱部を複数設けるのは、包装体（１０）の天面（１４）を切り開くときの切り裂き方向を約９０度変えられるようにするためである。したがって、図３で示すような幅広に構成された弱部（１８）であれば、切り裂く方向を約９０度変更することが可能となるので、前述と同様に包装体（１０）を開封することができる。
何れにしても、他方の端部側に設ける帯状の弱部は、図１、図２で示すような２本以上とするか、又は１本だけにする場合には、図３で示すような幅広に構成するのが望ましく、これによって包装体は好適に開封される。
【００１２】
【発明の効果】
以上のように本発明によれば、内容物を収容したトレイ状ケースを、短辺方向に延伸されたフィルム状シートでピロータイプ包装してなる包装体の天面部分が、カートンに収容された状態で開封する包装体において、長辺方向の合わせ部を、天面の平面視で一方の端部側に設けるとともに、前記合わせ部の縁部に易開封手段を設け、さらに前記合わせ部に沿って、所定幅を有し長辺方向に切り裂かれる帯状の弱部を設けるとともに、他方の端部側にも、所定幅を有し長辺方向に切り裂かれる帯状の弱部を設けたので、その包装体をカートンに収容したままの状態で好適に開封することができるようになる。
特に、その他方の端部側に設けられる帯状の弱部を複数にするか、又は合わせ部の近傍に設けられる帯状の弱部より幅広にすると、より効果的に開封することができるようになり、トレイ状ケースの隅の方に収容されている内容物でも容易に取り出せるようになる。
【図面の簡単な説明】
【図１】本発明にかかる包装体の斜視図
【図２】同上の平面図
【図３】別実施例の包装体の平面図
【図４】カートンを開封した様子を示す斜視図
【図５】カートンに収容された包装体を開封する工程を示す説明図
【図６】カートンに収容された包装体を開封する工程を示す説明図
【図７】カートンに収容された包装体を開封する工程を示す説明図
【図８】カートンに収容された包装体を開封する工程を示す説明図
【図９】カートンに収容された包装体を開封した様子を示す斜視図
【符号の説明】
１  トレイ状ケース
２  仕切部
３  カートン
４  天面板
５  上重ね前面板
６  下重ね前面板
７  開封片
８  切込部
９  切取部
１０  包装体
１１  合わせ部
１２  易開封手段
１３  切り口
１４  天面
１５  弱部
１６  弱部
１７  弱部
１８  弱部
【図１】
0004049901.tif 000002
【図２】
0004049901.tif 000003
【図３】
0004049901.tif 000004
【図４】
0004049901.tif 000005
【図５】
0004049901.tif 000006
【図６】
0004049901.tif 000007
【図７】
0004049901.tif 000008
【図８】
0004049901.tif 000009
【図９】
0004049901.tif 000010